(57)【要約】【課題】  可搬型電子機器の移動防止装置として用いられる該電子機器と鋼線との係止用の「ケンジントンロック（商標名）」施錠装置のロックキー部分が施錠のため該可搬型電子機器内部で回転させたときに内部配線を損傷し、感電、火災の致命的事故が発生することを未然に防止する手段を提供する。【解決手段】  可搬型電子機器の移動防止装置の鋼線、および該可搬型電子機器との係止用施錠装置の可動ロックキー部を、別体の保護カバー、または可搬型電子機器の筐体に配設した挿通孔補強板と一体に形成した保護カバーにより覆う。または該可動ロックキー部を該可搬型電子機器の筐体を構成する熱可塑性樹脂部材と一体に成型した保護カバーにより覆う。【選択図】  図５
2006257638.tif 000002
【特許請求の範囲】
【請求項１】
パーソナルコンピュータや液晶テレビなどの可搬型電子機器の盗難防止や移動防止のため、鋼線の一端を該可搬型電子装置に係止し、該鋼線の他端を堅固な固定物に係止する可搬型電子機器の移動防止装置において、該可搬型電子機器の筐体外から内部に挿入する該移動防止装置の係止用可動部による該電子機器内配線の損傷を防止するため、該係止用可動部を覆うカバーを具備したことを特徴とする可搬型電子機器の移動防止装置。
【請求項２】
請求項１に記載の可搬型電子機器の移動防止装置において、該可搬型電子機器内部に挿入された該移動防止装置の係止用可動部による該電子機器内配線の損傷を防止するため、該係止用可動部を別体の保護カバーで覆ったことを特徴とする可搬型電子機器の移動防止装置。
【請求項３】
請求項２に記載の可搬型電子機器の移動防止装置において、該可搬型電子機器内部に挿入された該移動防止装置の該係止用可動部による該電子機器内配線の損傷を防止するための該係止用可動部カバーを該可搬型電子機器の筐体に配設されたキー挿通孔補強板と一体に形成したことを特徴とする可搬型電子機器の移動防止装置。
【請求項４】
請求項１に記載の可搬型電子機器の移動防止装置において、該可搬型電子機器内部に挿入された該移動防止装置の該係止用可動部による該電子機器内配線の損傷を防止するため、該係止用可動部カバーを該可搬型電子機器の筐体を構成する熱可塑性樹脂部材と一体に成型したことを特徴とする可搬型電子機器の移動防止装置。
【請求項５】
請求項４に記載の可搬型電子機器の移動防止装置において、該可搬型電子機器内部に挿入された該移動防止装置の該係止用可動部による該電子機器内配線の損傷を防止するため、キー挿通孔補強板取り付け用ボスの延長線上の該可搬型電子機器の筐体を構成する熱可塑性樹脂部材と一体に成型した該係止用可動部カバーに穿孔したことを特徴とする可搬型電子機器の移動防止装置。
【発明の詳細な説明】
【技術分野】
【０００１】
本発明は、パーソナルコンピュータや液晶テレビなどの可搬型電子機器が、展示中に店頭から持ち去られる盗難被害や、オフィスなどにおいて所定の設置場所から無断で移設されるなどの不都合を防止するための該可搬型電子機器の移動防止装置に関するもので、詳しくは、該移動防止装置、および該可搬型電子機器との係止部構造の安全性改善手段に関する。
【背景技術】
【０００２】
パーソナルコンピュータ、液晶テレビ、ビデオカメラ、その他の可搬型電子機器の小型化、軽量化の進展に伴い、該可搬型電子機器が店頭展示中に持ち去られる盗難被害が多発傾向にあるほか、オフィスなど不特定多数の関係者が出入りする場所に設置された該可搬型電子機器が管理担当者に無断で移設され、設備管理面において困難が伴う場合がある。これら問題への対応のため、鋼線の一端を展示台や机などの堅固な固定物に係止し、該鋼線の他端を該電子機器の筐体に係止する電子機器の移動防止装置として、図１（ａ）に示す「ケンジントンロック（商標名）」施錠装置が、事実上の国際標準として広く適用されている。
【０００３】
図１（ｂ）は前述のケンジントンロック５の拡大斜視図である。ケンジントンロック５には、鋼線７の一端が固着され、該鋼線７の他端は展示台などの堅固な固定物に係止される。図１（ｂ）に示すごとく、ケンジントンロック５先端のロックキー５aの回転軸に直交する断面は長方形をなし、図１（ａ）に示す可搬型電子機器の一例としての液晶テレビ１の後ろキャビネット１ａの外表面に穿設された長方形のキー挿通孔２に該ケンジントンロック５の該ロックキー５ａ、およびキーベース５ｄを挿通させる。ロックキー５a、およびキーベース５ｄを、後ろキャビネット１ａのキー挿通孔２に挿通した状態で、図１（ｂ）に示す鍵６をケンジントンロック５の鍵穴５ｃに挿入し、ケンジントンロック５の軸回りに沿って回転させることにより、ロックキー５aは、図１（ｂ）中に点線で示すごとく、矢印に沿って９０度回転し、ケンジントンロック５、および液晶テレビ１の後ろキャビネット１ａが係止される。
【０００４】
図１（ａ）は、前記可搬型電子機器の一例としての液晶テレビ１の背面斜視図を示す。液晶テレビ１の後ろキャビネット１ａの外表面には、キー挿通孔２が穿設され、該キー挿通孔２に前述のケンジントンロック５先端のロックキー５ａ、およびキーベース５ｄが挿通され係止されている。ケンジントンロック５、および鋼線７により堅固な固定物に係止されている液晶テレビ１を持ち去りなどの意図により、強く引っ張った場合に、熱可塑性樹脂部材で構成される液晶テレビ１の後ろキャビネット１ａのキー挿通孔２には、過度の機械的ストレスが加わえられ、キー挿通孔２が破壊し、ケンジントンロック５先端のロックキー５ａとの係合が解除され、ロック機能を喪失し、該可搬型電子機器の移動防止目的を果たすことが不可能となる。
【０００５】
前述のような場合に対応し、熱可塑性樹脂部材により構成される後ろキャビネット１ａのキー挿通孔２に十分な耐破壊強度を保持させるため、液晶テレビ１の背面斜視図である図１（ａ）中に鎖線で示す切断線Ａ−Ａに沿って切断した横断面図の図２（ａ）に示すごとく、液晶テレビの後ろキャビネット１ａに穿設されたキー挿通孔２の内面周辺部にキー挿通孔補強板３を当接させ、補強している。
【０００６】
図２（ｂ）はキー挿通孔補強板３、および後ろキャビネット１ａの背面の斜視図である。キー挿通孔補強板３の略中央には、ケンジントンロック５先端のロックキー５ａが、挿通するための長方形のキー挿通孔３ａが穿設されている。該キー挿通孔３ａの長手方向の延長線上の対象位置に、複数のボス挿通孔３ｂが穿設され、後ろキャビネット１ａと一体に成型された複数のボス８が該ボス挿通孔３ｂを挿通する。該ボス挿通孔３ｂからの該ボス８の突出部を、熱可塑性樹脂の軟化温度を超える温度に加熱した熱鏝により、押圧することにより該ボス８の先端部分は傘状に押し広げられ、図２（ｂ）中に溶着済みボス９として示すごとく、キー挿通孔補強板３は後ろキャビネット１ａに係止される。
【０００７】
パーソナルコンピュータや液晶テレビは可搬型電子機器として、さらなる小型化、軽量化、薄型化の実現のため、機器内部には部品が高密度に実装され、不要な空間を可及的に排除している。このため、前述のケンジントンロック５を該可搬型電子機器に装着時に、該ケンジントンロック５先端のロックキー５ａに該可搬型電子機器内部の配線が接触し、これに気付かずに該可搬型電子機器の外部から電子機器内部に挿入したロックキー５ａ部分を鍵６の操作により回転させた場合、金属製の該ロックキー５ａが可搬型電子機器内部の配線の絶縁被覆を損傷し、絶縁不良を発生させ、結果として筐体外に露出している金属部材により構成されたケンジントンロック５や鋼線７に人体が触れた場合に感電事故を惹起し、あるいは火災事故を誘発する懸念があり、このような致命的事故の防止対策が必要となる。
【特許文献１】特開平１０−１７１５５２  「ポートリプリケータ」
【発明の開示】
【発明が解決しようとする課題】
【０００８】
可搬型電子機器が店頭展示中に持ち去られる盗難被害や、オフィスなどに設置された該可搬型電子機器が設備管理担当者に無断で移設されることを防止するため、鋼線の一端を展示台や机などの堅固な固定物に係止し、他端を該可搬型電子機器の筐体に係止する可搬型電子機器の移動防止装置において、該可搬型電子機器と鋼線との係止部に用いられる施錠装置の構成部分であるロックキー部が該可搬型電子機器に穿接されたキー挿通孔から該可搬型電子機器の内部に挿入され、施錠のため、該ロックキー部が該可搬型電子機器内部で回転したときに該可搬型電子機器内部の配線を損傷し、感電、火災の致命的事故が発生することを、未然に防止するための該可搬型電子機器内配線の保護手段を提供する。
【課題を解決するための手段】
【０００９】
パーソナルコンピュータや液晶テレビなどの可搬型電子機器の移動防止装置において、該可搬型電子機器、および移動防止装置を係止するために該可搬型電子機器の内部に挿入された該移動防止装置の可動部による該電子機器内配線の損傷防止のため、可動部分をカバーする。
【００１０】
可搬型電子機器内部に挿入された移動防止装置の可動部による該可搬型電子機器内配線の損傷防止のため、移動防止装置の可動部を別体の保護カバーで覆う。
【００１１】
可搬型電子機器内部に挿入された移動防止装置の可動部による該可搬型電子機器内配線の損傷防止のための可動部カバーを、該可搬型電子機器の筐体に配設したキー挿通孔補強板と一体に形成する。
【００１２】
可搬型電子機器内部に挿入された該移動防止装置の可動部による該可搬型電子機器内配線の損傷防止のための可動部カバーを、該可搬型電子機器の筐体を構成する熱可塑性樹脂部材と一体に成型する。
【００１３】
可搬型電子機器の筐体を構成する熱可塑性樹脂部材と一体に成型したキー挿通孔補強板取り付けようボスの延長線上の移動防止装置の係止用可動部カバーに挿通孔を設ける。
【発明の効果】
【００１４】
可搬型電子機器が店頭展示中に持ち去られる盗難被害や、オフィスなどに設置された該電子機器が設備管理担当者に無断で移設されることを防止するため、鋼線の一端を展示台や机などの堅固な固定物に係止し、他端を該可搬型電子機器の筐体に係止する電子機器の移動防止装置において、該可搬型電子機器と鋼線との係止部に用いられる施錠装置の構成部分であるロックキー部が該可搬型電子機器に穿接されたキー挿通孔から該可搬型電子機器の内部に挿入され、施錠のため、該ロックキー部が該可搬型電子機器内部で回転したとき、該可搬型電子機器内部の配線を損傷し、感電、火災などの致命的事故が発生することを未然防止する。
【発明を実施するための最良の形態】
【００１５】
図１は、本発明の実施形態を説明するための液晶テレビ１を示し、後ろキャビネット１ａの背面側からみた斜視図である。図１（ａ）中の１ｂは液晶テレビ１をテーブルタイプとして使用するためのスタンド、１ｃは液晶テレビ１を移動時に使用するキャリングハンドルである。
【００１６】
図３は本発明の第１の実施形態を示す液晶テレビの後ろキャビネット１ａの背面に配設されたキー挿通孔２の周辺、およびキーカバー１１の斜視図である。後ろキャビネット１ａに穿接されたキー挿通孔２の耐破壊強度を向上させるため、キー挿通孔補強板３に穿設された複数のボス挿通孔３ｂに後ろキャビネット１ａと一体に成型された複数のボス８を挿通し、キー挿通孔補強板３を後ろキャビネットの１ａの背面に載置する。
【００１７】
次に、キーカバー１１の複数のボス挿通孔１１ｂに、同様に後ろキャビネット１ａと一体に成型された複数のボス８を挿通し、キーカバー１１をキー挿通孔補強板３上に重ねて載置する。キー挿通孔補強板３のボス挿通孔３ｂ、およびキーカバー１１のボス挿通孔１１ｂからの該ボス８の突出部は、熱可塑性樹脂の軟化温度を超える温度に加熱した熱鏝により、該ボス８の先端部分を押圧することにより該ボス８の先端部分が傘状に広げられ、キー挿通孔補強板３、およびキーカバー１１は、後ろキャビネット１ａに係止される。
【００１８】
後ろキャビネット１ａのキー挿通孔２、およびキー挿通孔補強板３に穿設されたキー挿通孔３ａを挿通したロックキー５ａが後ろキャビネット１ａ内に挿入され、ロックキー５ａが筐体外から回転された場合においても、該ロックキー５ａは、キーカバー１１のカバー部１１ｃにより覆われるため、近傍を通過する配線部材にロックキー５ａが接触することはなく、従って、可搬型電子機器内部の配線部材がロックキー５ａにより損傷されることはない。
【００１９】
図４は、本発明の第２の実施形態を示すキー挿通孔補強板兼用カバー１２の斜視図である。キー挿通孔補強板兼用カバー１２は、板金折り曲げ加工により一体に形成されている。前記第１の実施形態では、複数の別体部品で構成されていたキー挿通孔補強板３，およびキーカバー１１の機能を、キー挿通孔補強板兼用カバー１２が単体で複数機能を果たし、部品点数の削減、および作業性の改善を可能としている。
【００２０】
図５は本発明の第３の実施形態を示す斜視図である。キー挿通孔補強板３に穿設された複数のボス挿通孔３ｂに、液晶テレビの後ろキャビネット１ａ背面に配設された複数のボス８が挿通し、後ろキャビネット１ａに穿設されたキー挿通孔２、および該キー挿通孔補強板３に穿設されたキー挿通孔３ａの位置関係を合致させた後に、キー挿通孔補強板３のボス挿通孔３ｂからのボス８の突出部を、熱可塑性樹脂の軟化温度を超える温度に加熱した熱鏝により、該ボス８の先端部分を押圧することにより該ボス８の先端部分が傘状に広げられ、キー挿通孔補強板３が、後ろキャビネット１ａに係止される。
【００２１】
後ろキャビネット１ａの背面には、該ボス８と共に樹脂カバー１３が該後ろキャビネット１ａと共に一体に成型され、該樹脂カバー１３はキー挿通孔補強板３の周辺を取り囲む隔壁状に、後ろキャビネット１ａから立ち上げられている。該樹脂カバー１３はキー挿通孔補強板３の周囲の四辺を取り囲む隔壁状に配設することに限定せず、少なくとも対面する二辺、または三辺を含む何れの隔壁でキー挿通孔補強板３の周辺を囲っても同様に有効である。
【００２２】
前述のごとく、キー挿通孔補強板３のキー挿通孔３ａの周辺部が樹脂カバー１３により取り囲まれているため、キー挿通孔２、およびキー挿通孔補強板３のキー挿通孔３ａを通じ、後ろキャビネット１ａの内部に挿入されたロックキー５ａが、後ろキャビネット１ａの外部から回転された場合においても、キー挿通孔３ａの近傍を通過する可搬型電子機器内部の配線部材に接触することはなく、従って、該配線部材を保護するための別体の部品を用意することなく、該配線部材を保護することが出来る。
【００２３】
図６は本発明の第４の実施形態を示し、図６（ａ）は後ろキャビネット１ａの背面に、該後ろキャビネット１ａ、およびボス８と共に一体に成型された樹脂カバー１４の背面図、図６（ｂ）は図６（ａ）中の切断線Ｂ−Ｂに沿って切断した横断面図である。該樹脂カバー１４はキー挿通孔補強板３の対向面、およびキー挿通孔補強板３の四周辺の何れかの三辺を取り囲む隔壁であって、後ろキャビネット１ａと共に一体に成型されている。熱可塑性樹脂部材により構成されたボス８の先端部を加熱した熱鏝により傘状に広げ、キー挿通孔補強板３を後ろキャビネット１ａに固定するため、熱鏝が該ボス８の先端部に到達出来るよう、該樹脂カバー１４周辺の何れかの一辺の隔壁を解放構造としている。
【００２４】
図７は本発明の第５の実施形態を示し、図７（ａ）は後ろキャビネット１ａの背面に、該後ろキャビネット１ａ、およびボス８と共に一体に成型された樹脂カバー１５の背面図、図７（ｂ）は図７（ａ）中の切断線Ｃ−Ｃに沿って切断した横断面図である。キー挿通孔補強板３の四周辺の何れかの三辺を取り囲む樹脂カバー１５の隔壁、およびボス８は、後ろキャビネット１ａと共に一体に成型されている。熱可塑性樹脂部材により構成されたボス８の先端部を熱鏝により加熱し、傘状に広げ、キー挿通孔補強板３を後ろキャビネット１ａに固定するため、熱鏝が容易に該ボス８の先端部に到達出来るよう、該樹脂カバー１５のキー挿通孔補強板３の対向面に複数の熱鏝挿通孔１５ａを穿設している。
【図面の簡単な説明】
【００２５】
【図１】図１（ａ）は本発明に係わる液晶テレビの背面斜視図、図１（ｂ）は電子機器と鋼線とを係止する「ケンジントンロック（商標名）」施錠装置の外観斜視図である。
【図２】図２（ａ）は図１（ａ）に示す液晶テレビの背面斜視図中に鎖線で示す切断線Ａ−Ａに沿って切断した横断面図、図２（ｂ）はキー挿通孔補強板の斜視図である。
【図３】本発明の第１の実施形態を示すキーカバーの斜視図である。
【図４】本発明の第２の実施形態を示すキー挿通孔補強板兼用カバーの斜視図である。
【図５】本発明の第３の実施形態を示す樹脂カバー、およびキー挿通孔補強板の斜視図である。
【図６】本発明の第４の実施形態を示し、図６（ａ）は樹脂カバーの背面図、図６（ｂ）は図６（ａ）中の切断線Ｂ−Ｂに沿って切断した横断面図である。
【図７】本発明の第５の実施形態を示し、図７（ａ）は樹脂カバーの背面図、図７（ｂ）は図７（ａ）中の切断線Ｃ−Ｃに沿って切断した横断面図である。
【符号の説明】
【００２６】
１：  液晶テレビ
１ａ：  後ろキャビネット
１ｂ：  スタンド
１ｃ：  キャリングハンドル
２：  キー挿通孔
３：  キー挿通孔補強板
３ａ：  キー挿通孔
３ｂ：  ボス挿通孔
５：  ケンジントンロック
５ａ：  ロックキー
５ｃ：  鍵穴
５ｄ：  キーベース
６：  鍵
７：  鋼線
８：  ボス
９：  溶着済みボス
１１：  キーカバー
１１ｂ：  ボス挿通孔
１１ｃ：  カバー部
１２：  キー挿通孔補強板兼用カバー
１２ａ：  キー挿通孔
１２ｂ：  ボス挿通孔
１２ｃ：  カバー部
１３：  樹脂カバー
１４：  樹脂カバー
１５：  樹脂カバー
１５ａ：  熱鏝挿通孔
【図１】
2006257638.tif 000003
【図２】
2006257638.tif 000004
【図３】
2006257638.tif 000005
【図４】
2006257638.tif 000006
【図５】
2006257638.tif 000007
【図６】
2006257638.tif 000008
【図７】
2006257638.tif 000009